(57)【特許請求の範囲】
【請求項１】
宝くじを管理するサーバがネットワークを介して端末からアクセスされる宝くじの販売方式において、
前記サーバは、受付期間中の宝くじの名称一覧から宝くじ名の選定と絞込値の設定とを含む宝くじ種別の設定を促す購入画面データを含む各種画面データをあらかじめ保存しておく画面情報記憶手段と、
売り出し中の宝くじ名に対応した宝くじ番号の残数を記録している管理記録手段とを備え、
前記端末から宝くじの購入の要求があると、前記購入画面データを前記画面情報記憶手段から読み出しその読み出した購入画面データを前記端末に送信する種別要求手段と、
前記種別要求手段により設定された宝くじの種別情報を前記端末から受信すると、前記宝くじ種別情報に該当する複数の候補範囲を示した宝くじ番号を前記管理記録手段から抽出しその抽出した複数の候補範囲を示した宝くじ番号を前記端末に送信する選択要求手段と、
前記選択要求手段により前記複数の候補範囲を示した宝くじ番号から選択された前記１つの候補範囲を示した宝くじ番号を前記端末から受信すると前記１つの候補範囲を示した宝くじ番号をキーにして前記管理記録手段から該当する空き番号の残数を抽出しその抽出した残数が前記絞込値以下になるまで次の複数の候補範囲を示した宝くじ番号を送り続ける絞込手段とを有することを特徴とする宝くじ販売方式。
【請求項２】
前記端末は、前記サーバから前記購入画面データを受信すると、その受信した購入画面データを表示部に表示しその表示した画面により宝くじの種別を設定させる種別設定手段と、
前記サーバから前記複数の候補範囲を示した宝くじ番号を受信すると、その受信した前記複数の候補範囲を示した宝くじ番号を前記表示部に表示しその表示した画面により前記複数の候補範囲を示した宝くじ番号から前記１つの候補範囲を示した宝くじ番号を選択させる選択手段とを有することを特徴とする請求項１記載の宝くじ販売方式。
【請求項３】
前記端末は、前記種別設定手段と前記選択手段とによる処理をブラウザプログラムに従って行う処理手段とを有することを特徴とする請求項２記載の宝くじ販売方式。
【請求項４】
前記種別に含まれる絞込値は、前記端末の表示部に空きの宝くじ番号を最大どれだけ表示するかを示す値であることを特徴とする請求項１記載の宝くじ販売方式。
【請求項５】
前記サーバは、前記絞込手段により絞り込まれた複数の宝くじ番号を前記端末から受信すると、その絞り込まれた宝くじの合計金額を算出しその算出した宝くじの金額情報の確認を得るために前記画面情報記憶手段から読み出した前記候補確認画面データに前記金額情報を付加して前記端末に送信する確認手段を有することを特徴とする請求項１記載の宝くじ販売方式。
【請求項６】
ネットワークを介して端末からアクセスされる宝くじの販売方式において、
受付期間中の宝くじの名称一覧から宝くじ名の選定と，絞込値の設定とを含む宝くじ種別の設定を促す購入画面データを含む各種画面データをあらかじめ保存しておく画面情報記憶手段と、
売り出し中の宝くじ名に対応した宝くじ番号の残数を桁数による複数の範囲ごとに記録している管理記録手段と、
宝くじ番号ごとに購入されているかどうかが識別できる情報が記録されている購入情報記憶手段と、
契約した顧客のユーザＩＤとパスワードとを含む顧客情報をあらかじめ記憶しておく顧客情報記憶手段とを備え、
前記端末から顧客情報記憶手段に記憶されているある購入者のユーザＩＤとパスワードを用いて宝くじの購入の要求があると、宝くじサービスを受け付けて前記購入画面データを前記画面情報記憶手段から読み出しその読み出した購入画面データを前記端末に送信する種別要求手段と、
前記種別要求手段により設定された宝くじの種別情報を前記端末から受信すると、前記宝くじ種別情報に該当する複数の候補範囲を示した宝くじ番号を前記管理記録手段から抽出しその抽出した複数の候補範囲を示した宝くじ番号を前記端末に送信する第１の選択要求手段と、
前記第１の選択要求手段により前記複数の候補範囲を示した宝くじ番号から選択された１つの候補範囲を示した宝くじ番号を前記端末から受信すると前記１つの候補範囲を示した宝くじ番号をキーにして前記管理記録手段から該当する空き番号の残数を抽出しその抽出した残数が前記絞込値以下になるかを判定する第１の判定手段と、
前記絞込値以下にならなければ、前記１つの候補範囲を示した宝くじ番号をキーにして次の複数の候補範囲を示した宝くじ番号を前記管理記録手段から抽出しその抽出した次の複数の候補範囲を示した宝くじ番号を前記端末に送信する第２の選択要求手段と、
前記第２の選択要求手段により前記次の複数の候補範囲を示した宝くじ番号から選択された次の１つの候補範囲を示した宝くじ番号を前記端末から受信すると前記次の１つの候補範囲を示した宝くじ番号をキーにして前記管理記録手段から該当する空き番号の残数を抽出しその抽出した残数が前記絞込値以下になるかを判定する第２の判定手段と、
前記第２の判定手段で前記絞込値以下にならなければ、前記第２の選択要求手段と前記第２の判定手段とが行う処理を絞込値以下になるまで継続する継続手段と、
前記第１または前記第２の判定手段により前記絞込値以下になれば、絞り込んだ前記１つの候補範囲を示した宝くじ番号または前記１つの次の候補範囲を示した宝くじ番号に該当する複数の空き宝くじ番号を前記購入情報記憶手段から読み出しその読み出した複数の空き宝くじ番号を前記端末に送信する送信手段とを有することを特徴とする宝くじ販売方式。
【請求項７】
前記送信手段により送信された前記複数の空き宝くじ番号から前記選択された宝くじ番号を前記端末から受信すると、前記購入情報記憶手段内の購入された前記宝くじ番号のエリアに前記購入者のユーザＩＤを登録する登録手段を有することを特徴とする請求項６記載の宝くじ販売方式。
【請求項８】
前記宝くじの種別に含まれる前記絞込値は、前記端末の表示部に空きの宝くじ番号を最大どれだけ表示するかを示す値であることを特徴とする請求項６記載の宝くじ販売方式。
【請求項９】
前記送信手段により送信された複数の空き宝くじ番号から選択された宝くじ番号を前記端末から受信すると、その選択された宝くじ番号から宝くじの購入金額を算出しその算出した購入金額を含む金額情報の確認を得るために前記画面情報記憶手段から読み出した確認画面データに前記金額情報を付加して前記端末に送信する確認要求手段を有することを特徴とする請求項６または７記載の宝くじ販売方式。
【請求項１０】
前記端末とのデータのやり取りは、インターネットを介して行うことを特徴とする請求項６，７，または９記載の宝くじ販売方式。
【請求項１１】
宝くじを管理するサーバがネットワークを介して端末からアクセスされる宝くじの販売方法であって、
前記サーバは、受付期間中の宝くじの名称一覧から宝くじ名の選定と絞込値の設定とを含む宝くじ種別の設定要求を含む購入画面データを含む各種画面データをあらかじめ保存しておく画面情報データベースと、売り出し中の宝くじ名に対応した宝くじ番号の残数を記録している管理テーブルと、宝くじ番号ごとに購入されているかどうかが識別できる情報が登録できる購入情報データベースと、契約した顧客のユーザＩＤとパスワードとを含む顧客情報をあらかじめ記憶しておく顧客情報データベースとを備え、
前記端末から前記顧客情報データベースに記憶されているある購入者のユーザＩＤとパスワードを用いて宝くじの購入の要求があると、前記購入画面データを前記画面情報データベースから読み出しその読み出した購入画面データを前記端末に送信するステップと、
前記購入画面データの送信により設定された宝くじの種別情報を前記端末から受信すると、前記宝くじ種別情報に該当する複数の候補範囲を示した宝くじ番号を前記管理テーブルから抽出しその抽出した複数の候補範囲を示した宝くじ番号を前記端末に送信するステップと、
前記複数の候補範囲を示した宝くじ番号の送信により前記複数の候補範囲を示した宝くじ番号から選択された前記１つの候補範囲を示した宝くじ番号を前記端末から受信すると、前記１つの候補範囲を示した宝くじ番号をキーにして前記管理テーブルから該当する空き番号の残数を抽出しその抽出した残数が前記絞込値以下になるまで次の複数の候補範囲を示した宝くじ番号を送り続けるステップと、
前記絞込値以下になると、前記候補範囲を示した宝くじ番号に該当する複数の空き宝くじ番号を前記購入データベースから抽出しその抽出した複数の空き宝くじ番号前記端末に送信するステップと、
前記複数の空き宝くじ番号の送信により前記複数の空き宝くじ番号から選択された複数の宝くじ番号を前記端末から受信すると、前記購入情報データベース内の購入された宝くじ番号のエリアに前記購入者のユーザＩＤを登録するステップとを含むことを特徴とする宝くじ販売方法。
【請求項１２】
宝くじを管理するサーバがネットワークを介して端末からアクセスされる宝くじの販売方法であって、
前記サーバは、受付期間中の宝くじの名称一覧から宝くじ名の選定と，絞込値の設定とを含む宝くじ種別の設定を促す購入画面データを含む各種画面データをあらかじめ保存しておく画面情報データベースと、売り出し中の宝くじ名に対応した宝くじ番号の残数を桁数による複数の範囲ごとに記録している管理データベースと、宝くじ番号ごとに購入されているかどうかが識別できるユーザＩＤが登録できる購入情報データベースと、契約した顧客のユーザＩＤとパスワードとを含む顧客情報をあらかじめ記憶しておく顧客情報データベースとを備え、
前記端末から前記顧客情報データベースに記憶されているある購入者のユーザＩＤとパスワードを用いて宝くじの購入要求があると、前記購入画面データを前記画面情報データベースから読み出しその読み出した購入画面データを前記端末に送信するステップと、
前記購入画面データの送信により設定された宝くじの種別情報を前記端末から受信すると、前記宝くじ種別情報に該当する複数の候補範囲を示した宝くじ番号を前記管理テーブルから抽出しその抽出した複数の候補範囲を示した宝くじ番号を前記端末に送信することにより前記複数の候補範囲を示した宝くじ番号から１つの候補範囲を示した宝くじ番号を前記端末に選択させる第１の選択要求を行うステップと、
前記複数の候補範囲を示した宝くじ番号の送信により前記複数の候補範囲を示した宝くじ番号から選択された１つの候補範囲を示した宝くじ番号を前記端末から受信すると、前記１つの候補範囲を示した宝くじ番号をキーにして前記管理テーブルから該当する空き番号の残数を抽出しその抽出した残数が前記絞込値以下になるかの第１の判定を行うステップと、
前記絞込値以下にならなければ、前記１つの候補範囲を示した宝くじ番号をキーにして次の複数の候補範囲を示した宝くじ番号を前記管理テーブルから抽出しその抽出した次の複数の候補範囲を示した宝くじ番号を前記端末に送信するステップと、
前記次の複数の候補範囲を示した宝くじ番号の送信により前記次の複数の候補範囲から選択された次の１つの候補範囲を示した宝くじ番号を前記端末から受信すると、前記次の１つの候補範囲を示した宝くじ番号をキーにして前記管理テーブルから該当する空き番号の残数を抽出しその抽出した残数が前記絞込値以下になるかの第２の判定を行うステップと、
前記第２の判定により前記絞込値以下にならなければ、前記第２の選択要求を行うステップと前記第２の判定を行うステップとの処理を絞込値以下になるまで継続するステップと、
前記第１または前記第２の判定により前記絞込値以下になれば、絞り込んだ前記１つの候補範囲を示した宝くじ番号または前記１つの次の候補範囲を示した宝くじ番号に該当する複数の空き宝くじ番号を前記宝くじ購入情報データベースから読み出しその読み出した複数の空き宝くじ番号を前記端末に送信するステップと、
前記複数の空き宝くじ番号の送信により前記複数の空き宝くじ番号から選択された複数の宝くじ番号を前記端末から受信すると、前記購入情報データベース内の購入された宝くじ番号のエリアに前記購入者のユーザＩＤを登録するステップとを含むことを特徴とする宝くじ販売方法。
【請求項１３】
前記端末は、前記サーバから受信した前記購入画面データを表示部に表示するステップと、
前記表示部に表示された購入画面データに従って宝くじ種別が設定されるとその設定された種別情報を前記サーバに送信するステップと、
前記複数の候補範囲を示した宝くじ番号を受信すると、その受信した前記複数の候補範囲を示した宝くじ番号を表示部に表示するステップと、
前記表示部に表示された前記複数の候補範囲を示した宝くじの範囲から前記１つの候補範囲が選択されると、その選択された前記１つの候補範囲を示した宝くじ番号を前記サーバに送信するステップと、
前記複数の空き宝くじ番号を受信すると、その受信した前記複数の空き宝くじ番号を前記表示部に表示するステップと、
前記表示部に表示された前記複数の空き宝くじ番号から宝くじ番号が選択されると、その選択された宝くじ番号をサーバに送信するステップとを含むことを特徴とする請求項１１または１２記載の宝くじ販売方法。
【請求項１４】
前記端末は、ブラウザプログラムに従って各ステップの処理を行うことを特徴とする請求項１３記載の宝くじ販売方法。
【請求項１５】
前記サーバは、前記端末に送信するステップにより送信された複数の空き宝くじ番号から選択された複数の宝くじ番号を前記端末から受信すると、その選択された宝くじの合計金額を算出するステップと、
前記選択された宝くじ番号と前記合計金額とを含む金額情報の確認を得るために前記画面情報データベースから読み出した確認画面データに前記選択された宝くじ番号と前記合計金額とを付加して前記端末に送信するステップとを含むことを特徴とする請求項１１，１２，または１３記載の宝くじ販売方法。
【請求項１６】
前記サーバは、前記端末に送信した前記確認画面データによりＯＫ確認通知を受信すると、前記端末に購入に関するコメントを送信するステップを含むことを特徴とする請求項１５記載の宝くじ販売方法。
【発明の詳細な説明】
【０００１】
【発明の属する技術分野】
宝くじの購入における宝くじ販売方式および方法に関し、特に、インターネットを利用した宝くじ番号指定による宝くじ販売方式および方法に関する。
【０００２】
【従来の技術】
従来の宝くじ販売方式は、宝くじの窓口で購入する場合、窓口で指定される宝くじ番号により選択して購入していた。
【０００３】
また、購入者が端末を利用した宝くじ販売方式として、例えば、特開昭６１−１８０８５号公報で開示されている。すなわち、宝くじ自販機とホストＣＰＵとを接続し、その宝くじ自販機から宝くじ番号を指定すると、ホストＣＰＵ側で先指定があるかのチェックを行い、存在すれば、購入者に再指定を促す。このようにして、模索状態でホストＣＰＵとやり取りしながら宝くじ番号が決まると、販売機の料金投入口から料金を投入することにより宝くじを購入する。
【０００４】
【発明が解決しようとする課題】
従来のネットワークを介した宝くじ販売方式は、例えば、特開昭６１−１８０８５号公報に開示されているように、端末側から見て、既に購入された宝くじ番号が見えないため、宝くじ番号の空き番号が少なくなればなるほど空き番号から自分の要望する宝くじ番号を購入することは、ホストＣＰＵ側での先指定検出により受け付けられないケースが増えるため、非常に難しいという問題点がある。
【０００５】
また、特開昭６１−１８０８５号公報では、購入できる端末として販売機を使用しているため、その販売機がないと購入できないという問題点がある。
【０００６】
本発明は、上記の問題点を鑑み、家庭、職場等からでも自由に自分の要望する宝くじ番号の宝くじを効率良く購入することにある。
【０００７】
【課題を解決するための手段】
上記の目的を達成するために、本発明の第１の宝くじの販売方式は、宝くじを管理するサーバがネットワークを介して端末からアクセスされる宝くじの販売方式において、前記サーバは、受付期間中の宝くじの名称一覧から宝くじ名の選定と絞込値の設定とを含む宝くじ種別の設定を促す購入画面データを含む各種画面データをあらかじめ保存しておく画面情報記憶手段と、売り出し中の宝くじ名に対応した宝くじ番号の残数を記録している管理記録手段とを備え、前記端末から宝くじの購入の要求があると、前記購入画面データを前記画面情報記憶手段から読み出しその読み出した購入画面データを前記端末に送信する種別要求手段と、前記種別要求手段により設定された宝くじの種別情報を前記端末から受信すると、前記宝くじ種別情報に該当する複数の候補範囲を示した宝くじ番号を前記管理記録手段から抽出しその抽出した複数の候補範囲を示した宝くじ番号を前記端末に送信する選択要求手段と、前記選択要求手段により前記複数の候補範囲を示した宝くじ番号から選択された前記１つの候補範囲を示した宝くじ番号を前記端末から受信すると前記１つの候補範囲を示した宝くじ番号をキーにして前記管理記録手段から該当する空き番号の残数を抽出しその抽出した残数が前記絞込値以下になるまで次の複数の候補範囲を示した宝くじ番号を送り続ける絞込手段とを有することを特徴としている。
【０００８】
更に、前記端末は、前記サーバから前記購入画面データを受信すると、その受信した購入画面データを表示部に表示しその表示した画面により宝くじの種別を設定させる種別設定手段と、前記サーバから前記複数の候補範囲を示した宝くじ番号を受信すると、その受信した前記複数の候補範囲を示した宝くじ番号を前記表示部に表示しその表示した画面により前記複数の候補範囲を示した宝くじ番号から前記１つの候補範囲を示した宝くじ番号を選択させる選択手段とを有することを特徴としている。
【０００９】
更に、前記端末は、前記種別設定手段と前記選択手段とによる処理をブラウザプログラムに従って行う処理手段とを有することを特徴としている。
【００１０】
更に、前記種別に含まれる絞込値は、前記端末の表示部に空きの宝くじ番号を最大どれだけ表示するかを示す値であることを特徴としている。
【００１１】
更に、前記サーバは、前記絞込手段により絞り込まれた複数の宝くじ番号を前記端末から受信すると、その絞り込まれた宝くじの合計金額を算出しその算出した宝くじの金額情報の確認を得るために前記画面情報記憶手段から読み出した前記候補確認画面データに前記金額情報を付加して前記端末に送信する確認手段を有することを特徴としている。
【００１２】
また、本発明の第２の宝くじ販売方式は、ネットワークを介して端末からアクセスされる宝くじの販売方式において、受付期間中の宝くじの名称一覧から宝くじ名の選定と，絞込値の設定とを含む宝くじ種別の設定を促す購入画面データを含む各種画面データをあらかじめ保存しておく画面情報記憶手段と、売り出し中の宝くじ名に対応した宝くじ番号の残数を桁数による複数の範囲ごとに記録している管理記録手段と、宝くじ番号ごとに購入されているかどうかが識別できる情報が記録されている購入情報記憶手段と、契約した顧客のユーザＩＤとパスワードとを含む顧客情報をあらかじめ記憶しておく顧客情報記憶手段とを備え、前記端末から顧客情報記憶手段に記憶されているある購入者のユーザＩＤとパスワードを用いて宝くじの購入の要求があると、宝くじサービスを受け付けて前記購入画面データを前記画面情報記憶手段から読み出しその読み出した購入画面データを前記端末に送信する種別要求手段と、前記種別要求手段により設定された宝くじの種別情報を前記端末から受信すると、前記宝くじ種別情報に該当する複数の候補範囲を示した宝くじ番号を前記管理記録手段から抽出しその抽出した複数の候補範囲を示した宝くじ番号を前記端末に送信する第１の選択要求手段と、前記第１の選択要求手段により前記複数の候補範囲を示した宝くじ番号から選択された１つの候補範囲を示した宝くじ番号を前記端末から受信すると前記１つの候補範囲を示した宝くじ番号をキーにして前記管理記録手段から該当する空き番号の残数を抽出しその抽出した残数が前記絞込値以下になるかを判定する第１の判定手段と、前記絞込値以下にならなければ、前記１つの候補範囲を示した宝くじ番号をキーにして次の複数の候補範囲を示した宝くじ番号を前記管理記録手段から抽出しその抽出した次の複数の候補範囲を示した宝くじ番号を前記端末に送信する第２の選択要求手段と、前記第２の選択要求手段により前記次の複数の候補範囲を示した宝くじ番号から選択された次の１つの候補範囲を示した宝くじ番号を前記端末から受信すると前記次の１つの候補範囲を示した宝くじ番号をキーにして前記管理記録手段から該当する空き番号の残数を抽出しその抽出した残数が前記絞込値以下になるかを判定する第２の判定手段と、前記第２の判定手段で前記絞込値以下にならなければ、前記第２の選択要求手段と前記第２の判定手段とが行う処理を絞込値以下になるまで継続する継続手段と、前記第１または前記第２の判定手段により前記絞込値以下になれば、絞り込んだ前記１つの候補範囲を示した宝くじ番号または前記１つの次の候補範囲を示した宝くじ番号に該当する複数の空き宝くじ番号を前記購入情報記憶手段から読み出しその読み出した複数の空き宝くじ番号を前記端末に送信する送信手段とを有することを特徴としている。
【００１３】
更に、上記の第２の宝くじ販売方式において、前記送信手段により送信された前記複数の空き宝くじ番号から前記選択された宝くじ番号を前記端末から受信すると、前記購入情報記憶手段内の購入された前記宝くじ番号のエリアに前記購入者のユーザＩＤを登録する登録手段を有することを特徴としている。
【００１４】
更に、上記の第２の宝くじ販売方式において、前記宝くじの種別に含まれる前記絞込値は、前記端末の表示部に空きの宝くじ番号を最大どれだけ表示するかを示す値であることを特徴としている。
【００１６】
更に、上記の第２の宝くじ販売方式において、前記送信手段により送信された複数の空き宝くじ番号から選択された宝くじ番号を前記端末から受信すると、その選択された宝くじ番号から宝くじの購入金額を算出しその算出した購入金額を含む金額情報の確認を得るために前記画面情報記憶手段から読み出した確認画面データに前記金額情報を付加して前記端末に送信する確認要求手段を有することを特徴としている。
【００１７】
更に、上記の第２の宝くじ販売方式において、前記端末とのデータのやり取りは、インターネットを介して行うことを特徴としている。
【００１８】
また、本発明の第１の宝くじ販売方法は、宝くじを管理するサーバがネットワークを介して端末からアクセスされる宝くじの販売方法であって、前記サーバは、受付期間中の宝くじの名称一覧から宝くじ名の選定と絞込値の設定とを含む宝くじ種別の設定要求を含む購入画面データを含む各種画面データをあらかじめ保存しておく画面情報データベースと、売り出し中の宝くじ名に対応した宝くじ番号の残数を記録している管理テーブルと、宝くじ番号ごとに購入されているかどうかが識別できる情報が登録できる購入情報データベースと、契約した顧客のユーザＩＤとパスワードとを含む顧客情報をあらかじめ記憶しておく顧客情報データベースとを備え、前記端末から前記顧客情報データベースに記憶されているある購入者のユーザＩＤとパスワードを用いて宝くじの購入の要求があると、前記購入画面データを前記画面情報データベースから読み出しその読み出した購入画面データを前記端末に送信するステップと、前記購入画面データの送信により設定された宝くじの種別情報を前記端末から受信すると、前記宝くじ種別情報に該当する複数の候補範囲を示した宝くじ番号を前記管理テーブルから抽出しその抽出した複数の候補範囲を示した宝くじ番号を前記端末に送信するステップと、前記複数の候補範囲を示した宝くじ番号の送信により前記複数の候補範囲を示した宝くじ番号から選択された前記１つの候補範囲を示した宝くじ番号を前記端末から受信すると、前記１つの候補範囲を示した宝くじ番号をキーにして前記管理テーブルから該当する空き番号の残数を抽出しその抽出した残数が前記絞込値以下になるまで次の複数の候補範囲を示した宝くじ番号を送り続けるステップと、前記絞込値以下になると、前記候補範囲を示した宝くじ番号に該当する複数の空き宝くじ番号を前記購入データベースから抽出しその抽出した複数の空き宝くじ番号前記端末に送信するステップと、前記複数の空き宝くじ番号の送信により前記複数の空き宝くじ番号から選択された複数の宝くじ番号を前記端末から受信すると、前記購入情報データベース内の購入された宝くじ番号のエリアに前記購入者のユーザＩＤを登録するステップとを含むことを特徴としている。
【００１９】
また、本発明の第２の宝くじの販売方法は、宝くじを管理するサーバがネットワークを介して端末からアクセスされる宝くじの販売方法であって、前記サーバは、受付期間中の宝くじの名称一覧から宝くじ名の選定と，絞込値の設定とを含む宝くじ種別の設定を促す購入画面データを含む各種画面データをあらかじめ保存しておく画面情報データベースと、売り出し中の宝くじ名に対応した宝くじ番号の残数を桁数による複数の範囲ごとに記録している管理データベースと、宝くじ番号ごとに購入されているかどうかが識別できるユーザＩＤが登録できる購入情報データベースと、契約した顧客のユーザＩＤとパスワードとを含む顧客情報をあらかじめ記憶しておく顧客情報データベースとを備え、前記端末から前記顧客情報データベースに記憶されているある購入者のユーザＩＤとパスワードを用いて宝くじの購入要求があると、前記購入画面データを前記画面情報データベースから読み出しその読み出した購入画面データを前記端末に送信するステップと、前記購入画面データの送信により設定された宝くじの種別情報を前記端末から受信すると、前記宝くじ種別情報に該当する複数の候補範囲を示した宝くじ番号を前記管理テーブルから抽出しその抽出した複数の候補範囲を示した宝くじ番号を前記端末に送信することにより前記複数の候補範囲を示した宝くじ番号から１つの候補範囲を示した宝くじ番号を前記端末に選択させる第１の選択要求を行うステップと、前記複数の候補範囲を示した宝くじ番号の送信により前記複数の候補範囲を示した宝くじ番号から選択された１つの候補範囲を示した宝くじ番号を前記端末から受信すると、前記１つの候補範囲を示した宝くじ番号をキーにして前記管理テーブルから該当する空き番号の残数を抽出しその抽出した残数が前記絞込値以下になるかの第１の判定を行うステップと、前記絞込値以下にならなければ、前記１つの候補範囲を示した宝くじ番号をキーにして次の複数の候補範囲を示した宝くじ番号を前記管理テーブルから抽出しその抽出した次の複数の候補範囲を示した宝くじ番号を前記端末に送信するステップと、前記次の複数の候補範囲を示した宝くじ番号の送信により前記次の複数の候補範囲から選択された次の１つの候補範囲を示した宝くじ番号を前記端末から受信すると、前記次の１つの候補範囲を示した宝くじ番号をキーにして前記管理テーブルから該当する空き番号の残数を抽出しその抽出した残数が前記絞込値以下になるかの第２の判定を行うステップと、前記第２の判定により前記絞込値以下にならなければ、前記第２の選択要求を行うステップと前記第２の判定を行うステップとの処理を絞込値以下になるまで継続するステップと、前記第１または前記第２の判定により前記絞込値以下になれば、絞り込んだ前記１つの候補範囲を示した宝くじ番号または前記１つの次の候補範囲を示した宝くじ番号に該当する複数の空き宝くじ番号を前記宝くじ購入情報データベースから読み出しその読み出した複数の空き宝くじ番号を前記端末に送信するステップと、前記複数の空き宝くじ番号の送信により前記複数の空き宝くじ番号から選択された複数の宝くじ番号を前記端末から受信すると、前記購入情報データベース内の購入された宝くじ番号のエリアに前記購入者のユーザＩＤを登録するステップとを含むことを特徴としている。
【００２０】
更に、上記の第１または第２の宝くじ販売方法において、前記端末は、前記サーバから受信した前記購入画面データを表示部に表示するステップと、前記表示部に表示された購入画面データに従って宝くじ種別が設定されるとその設定された種別情報を前記サーバに送信するステップと、前記複数の候補範囲を示した宝くじ番号を受信すると、その受信した前記複数の候補範囲を示した宝くじ番号を表示部に表示するステップと、前記表示部に表示された前記複数の候補範囲を示した宝くじの範囲から前記１つの候補範囲が選択されると、その選択された前記１つの候補範囲を示した宝くじ番号を前記サーバに送信するステップと、前記複数の空き宝くじ番号を受信すると、その受信した前記複数の空き宝くじ番号を前記表示部に表示するステップと、前記表示部に表示された前記複数の空き宝くじ番号から宝くじ番号が選択されると、その選択された宝くじ番号をサーバに送信するステップとを含むことを特徴としている。
【００２１】
更に、上記の第１または第２の宝くじ販売方法において、前記端末は、ブラウザプログラムに従って各ステップの処理を行うことを特徴としている。
【００２２】
更に、上記の第１または第２の宝くじ販売方法において、前記サーバは、前記端末に送信するステップにより送信された複数の空き宝くじ番号から選択された複数の宝くじ番号を前記端末から受信すると、その選択された宝くじの合計金額を算出するステップと、前記選択された宝くじ番号と前記合計金額とを含む金額情報の確認を得るために前記画面情報データベースから読み出した確認画面データに前記選択された宝くじ番号と前記合計金額とを付加して前記端末に送信するステップとを含むことを特徴としている。
【００２３】
更に、上記の第１または第２の宝くじ販売方法において、前記サーバは、前記端末に送信した前記確認画面データによりＯＫ確認通知を受信すると、前記端末に購入に関するコメントを送信するステップを含むことを特徴としている。
【００２４】
【発明の実施の形態】
次に、本発明の実施の形態について図面を参照して説明する。
図１を参照すると、本発明の実施の形態におけるシステムの構成を示すものであって、このシステムは、回線網１と、回線網１を介してインターネットでのサービスを利用するために各種ＷＷＷサーバにアクセスする複数の端末４と、インターネットのサービスを行っているプロバイダ５と、各社プロバイダと各種ＷＷＷサーバとを接続するインターネット２、宝くじのサービスを行うＷＷＷサーバ３とから構成されている。ここでいう端末４は、内蔵されているブラウザ（インターネットにアクセスするための通信ソフト）を立ち上げることでインターネットにアクセス可能であると共に、ホームページを表示する。従って、端末４は、パソコン、ワークステーション、携帯電話機等のようにインターネットをアクセスできる通信ソフトを搭載している装置であれば機種は問わない。
【００２５】
ＷＷＷサーバ３は、図示していないプロセッサによりプログラム制御で動作する制御部３１と、宝くじのサービスを管理する情報が格納されている記憶部３２と、宝くじ顧客情報が記憶されている顧客情報データベース３３と、宝くじのサービスに関する画像情報を記憶している宝くじ画像情報データベース３４と、宝くじ購入情報が記憶されている宝くじ購入情報データベース３５と、インターネット２とのデータのやり取りを行うインタフェース部３６とから構成されている。この場合の記憶部３２は、本実施の形態では、読み出し書き込みのできる不揮発性のメモリ（例えば、フラッシュメモリ）であるが、揮発性のメモリ（例えばＲＡＭ）または不揮発性の記録媒体装置（例えば、磁気ディスク）等を使用してもよい。また、各データベースは、磁気ディスク等の不揮発性記録媒体装置内に設けられており、各データベース毎に、別々に不揮発性記録媒体装置を備えても良いし、各データベースを１つの不揮発性記録媒体装置内に備えても良い。
【００２６】
顧客情報データベース３３は、契約した顧客情報［顧客名、住所、ユーザＩＤ、パスワード、クレジットカード番号（またはキャッシュカード番号）、購入情報等］が入っている。
【００２７】
宝くじ購入情報データベース３５は、宝くじ名毎に宝くじ番号の購入者情報（購入されると購入された宝くじ番号毎にユーザＩＤが書き込まれる）が記録されている。
【００２８】
制御部３１は、各宝くじサービス毎にモジュール化しており、制御部３１は、サービスの内容に従ってサービスに対応するモジュール（制御部）に振り分けている。宝くじサービスに関しては、制御部３１は、宝くじ購入サービスに関する動作の制御を行う宝くじ購入制御部３１１を含んでいる。
【００２９】
記憶部３２は、宝くじ番号の残数を管理している宝くじ管理テーブル３２１を含んでいる。
【００３０】
図２を参照すると、宝くじ管理テーブル３２１は、売り出し中の宝くじ名毎に宝くじ管理テーブルが存在し、組番、各桁番号毎（例では、組番、Ｂ６、Ｂ５、Ｂ４、およびＢ３毎で下２桁はない）に宝くじの残数が記録される。テーブルの見方は、例えば、宝くじ番号が組番００の００２０ＸＸ番台（Ｘは、０〜９）であれば、９０の残数があり、組番００の００ＸＸＸＸ番台であれば、５４５０の残数があることを示す。
【００３１】
ＷＷＷサーバ３が管理している各種サービスは、各種サービスを管理している会社と契約している購入者ａが利用することができ、その各種サービスを管理している会社から利用者に与えられているユーザＩＤとパスワードを端末４から入力することにより利用可能となる。
【００３２】
すなわち、図１において、プロバイダ５ａと契約しているある購入者が、端末４上でブラウザを立ち上げ、端末４の図示していない表示部（以降、単に表示部と表現）に表示される入力画面からＵＲＬ（Ｕｎｉｆｏｒｍ  ＲｅｓｏｕｒｃｅＬｏｃａｔｏｒ：ホームページのアドレスのアドレスにあたるもので、「ｈｔｔｐ：／／ｗｗｗ．〜．〜」などで示される）入力欄にサービスを行っているサイトのＵＲＬを入力すると、回線網１、プロバイダ５ａ、インターネット２経由でＷＷＷサーバ３にアクセスする。
【００３３】
次に、図１〜図４を参照して、本発明の実施の形態の動作について説明する。今、図１の購入者ａは、プロバイダ５ａおよび宝くじのサービスを管理している業者と契約していたとする。更に、購入者ａは、ダイヤルアップ接続によりインターネットと接続する端末４に内蔵されているブラウザを起動し、宝くじ・座席予約サービスシステムを利用するために、図示していない端末４の表示部に表示される入力画面からＵＲＬ入力欄にサービスを行っているＷＷＷサーバ３のＵＲＬを入力すると、回線網１、プロバイダ５ａ、インターネット２経由でＷＷＷサーバ３にホームページの読み出しを要求する（図２のステップＳ１）。
【００３４】
すると、要求を受信したＷＷＷサーバ３の制御部３１は、画面情報データベース３３を検索し、該当する画面表示データ（ホームページのＨＴＭＬソースおよび画像；ＨＴＭＬ：Ｈｙｐｅｒ  Ｔｅｘｔ  Ｍａｒｋｕｐ  Ｌａｎｇｕａｇｅ）を読み出し、各種コンテンツ一覧（サービスメニュー）を含むホーム入力画面データを購入者ａ宛の端末４ａに、返信する。ホーム入力画面データを受信した端末４ａは、ホーム入力画面データを表示部に表示する（ステップＳ１１，Ｓ２）。
【００３５】
次に購入者ａが端末４ａの表示部に表示されたコンテンツ一覧画面からサービスを利用する項目名（この場合、宝くじ購入）を選択すると、端末４ａは、その選択した項目名（宝くじ購入）を知らせるための通知情報をＷＷＷサーバ３に送信する。ＷＷＷサーバ３の制御部３１は、その通知情報を受信し、解析すると、宝くじ購入であることを検出し、宝くじ購入制御部３１１に制御を渡す（ステップＳ３，Ｓ１２，Ｓ１３）。
【００３６】
制御を渡された宝くじ購入制御部３１１は、宝くじ画像情報データベース３４に格納されている認証画面データを読み出し、端末４ａに送信する。すると、認証画面データを受信した端末４ａは、認証画面データを表示部に表示することで、宝くじサービスを管理している業者から与えられているユーザＩＤおよびパスワードの入力を促す（図３のステップＳ４１，Ｓ２１）。
【００３７】
購入者ａが自分のユーザＩＤとパスワードとを入力すると、端末４ａは、ユーザＩＤとパスワードとをＷＷＷサーバ３に送信する。ＷＷＷサーバ３の宝くじ購入制御部３１１は、ユーザＩＤとパスワードとを受信すると、顧客情報データベース３３にユーザＩＤとパスワードが登録されているかどうかのチェックを行う。登録されていれば、宝くじ画面情報データベース３４から宝くじ購入画面データを読み出し、種別の設定ができるように必要な情報［受付期間中の宝くじの名称一覧、組番号の一覧からの選択および絞込値（空き番号の数量がいくつになったら、一連番号の範囲内の全空き番号の表示を行うかの数値）の設定等］を付加して、端末４ａに送信する。端末４ａは、宝くじ購入画面を受信すると、宝くじ購入画面データを表示部に表示する（ステップＳ２２，Ｓ４２，Ｓ４３，Ｓ２３，Ｓ４４，Ｓ２４）。
【００３８】
購入者ａは、名称、組番号の選択および絞込値の設定を行うと、端末４ａは、選択を行った名称、組番号、および設定を行った絞込値をＷＷＷサーバ３に送信する。名称、組番号、および絞込値を受信したＷＷＷサーバ３の宝くじ購入制御部３１１は、それらのデータをキーとして、記憶部３２の宝くじ管理テーブルを検索し、候補の一連番号の範囲の一覧（例えば、００００００〜０９９９９９，１０００００〜１９９９９９，・・・）を選出する。更に、宝くじ購入制御部３１１は、宝くじ画面情報データベース３４から宝くじ番号の入力画面データを読み出し、この読み出した入力画面データに先ほど選出した候補の一連番号の範囲の一覧を付加して端末４ａに送信する。端末４ａは、宝くじ番号の入力画面をデータを受信すると、この入力画面データを表示部にする（ステップＳ２５，Ｓ４５，Ｓ２６）。
【００３９】
購入者ａは、端末４ａの表示部に複数表示された一連番号の範囲を示した宝くじの番号（例えば、１０００００〜１９９９９９）を選択すると、端末４ａは、選択された一連番号の範囲を示した宝くじの番号をＷＷＷサーバ３に送信する。選択された一連番号の範囲を受信したＷＷＷサーバ３の宝くじ購入制御部３１１は、選択された一連番号の範囲をキー（例では、図２のＢ６が１の部分）として記憶部３２の宝くじ管理テーブル３２１に該当する空き番号が絞込値（ただし、ＭＡＸは例では１００とする）以下になっているかを検索する。更に、宝くじ購入制御部３１１は、絞込値以下になっていなければ、絞込された次の候補の一連番号の範囲（例えば、１０００００〜１９９９９９を選択されていれば、１０００００〜１０９９９９，・・・，１９００００〜１９９９９９）を送信する。このようにして、宝くじ購入制御部３１１は、端末４ａとやり取りしながら、絞込値以下になるまで絞込の範囲を狭くしていくことで繰り返す（ステップＳ２７，Ｓ４６，Ｓ４７，Ｓ５３、Ｓ２８）。
【００４０】
やがて絞込値以下になると、宝くじ購入制御部３１は、宝くじ画面情報データベース３４から候補番号一覧画面データを読み出し、宝くじ購入情報データベース３５から読み出した空き宝くじ番号の選択およびクレジットカード番号の入力ができるようにそのデータを付加して、端末４ａに送信する。端末４ａは、受信した候補宝くじ番号一覧画面データを表示部に表示する（ステップ４７、Ｓ２８，Ｓ４８，Ｓ２９）。
【００４１】
購入者ａは、候補宝くじ番号一覧画面から要望する宝くじ番号を選択（複数選択できる）する。すると、端末４ａは、選択された宝くじ番号がＷＷＷサーバ３の送信される。受信したＷＷＷサーバ３の宝くじ購入制御部３１は、選択された宝くじの合計の購入金額を算出すると共に、宝くじ画面情報データベース３４から候補番号確認画面データを読み出し、選択された宝くじ番号一覧と先ほど算出した購入金額とを付加し、端末４ａに確認要求を行う。すると、端末４ａは、候補確認画面データを受信すると、候補確認画面データを表示部に表示する（ステップ３０，Ｓ４９，Ｓ３１）。
【００４２】
購入者ａは、宝くじ番号と、購入金額の確認を行い、ＯＫであれば、クレジットカード（または、キャッシュカード）の番号を入力する。すると、端末４ａは、ＯＫ通知とクレジットカード（またはキャッシュカード）の番号をＷＷＷサーバ３に送信する。受信したＷＷＷサーバ３の宝くじ購入制御部３１は、クレジットカード（またはキャッシュカード）の番号が顧客情報データベース３３に該当するユーザＩＤの欄に登録されているかのチェックを行い、登録されていれば、宝くじ購入情報データベース３５の宝くじ番号毎に設けられている購入欄に依頼のあった購入者ａのユーザＩＤを登録する。更に、制御部３１は、記憶部３２の宝くじ管理テーブル３２１を更新する。すなわち、宝くじ購入制御部３１１は、宝くじ管理テーブル３２１内の該当する欄の項目（１００番単位で設定されている）の数値から購入した数量を引く。更に、宝くじ購入制御部３１は、顧客情報データベース３３の購入したユーザＩＤ欄に、購入した金額およびその購入情報（宝くじ名、購入枚数等）を記録する。このとき、宝くじ購入制御部３１１は、上位の桁数（Ｂ４，Ｂ５，Ｂ６，組番）に当たる残数を再計算する。更に、宝くじ購入制御部３１１は、購入した宝くじ番号一覧と注意書きとを端末４ａに送信して終了する。端末４ａは、受信した宝くじ番号一覧と注意書きとを表示部に表示して終了する（ステップＳ３０，Ｓ４９，Ｓ３１，Ｓ３２，Ｓ３３，Ｓ５０，Ｓ５１，Ｓ５２，Ｓ５３，Ｓ５４，Ｓ３４）。
【００４３】
上記説明において、宝くじ購入処理における端末側のステップＳ２６以降の端末４ａの表示部に表示される各画面には、宝くじ番号の入力画面に戻るボタンが表示されている。このボタンを押すと、ＷＷＷサーバ３にこのボタン押下の通知が行く。すると、この通知を受信したＷＷＷサーバ３の宝くじ購入制御部３１１は、ステップＳ４４からの処理を行う。
【００４４】
また、上記ステップＳ３１おいて、候補番号確認画面を端末４ａの表示部に表示したときに、購入者ａが、満足した結果（宝くじの番号および購入する宝くじの合計の金額）でなかった場合（例えば、予想以上に金額が高かった）、ＮＧを示している画面上のボタンを押す。すると、端末４ａは、ＮＧの通知をＷＷＷサーバ３に返す。受信したＷＷＷサーバ３の宝くじ購入制御部３１は、ステップ４８から再度繰り返す。このようにして、購入者ａは、金銭面も含め、希望する宝くじ番号を購入することができる（ステップＳ３２，Ｓ５０，Ｓ４８，Ｓ２９）。
【００４５】
上記の説明で、絞込値は、購入者に設定させるようにしたが、ＷＷＷサーバの方で予め決められた値に設定していても良い。この場合、ＷＷＷサーバ３の宝くじ購入制御部３１１は、端末４ａに対し絞込値の設定要求を行う必要はない。
【００４６】
また、プロバイダと宝くじのサービスの管理を行う業者とを別々にしたが、プロバイダがＷＷＷサーバ３を管理しても良い。
【００４７】
また、上記説明において、回線網１を公衆網に見立ててダイアルアップ接続によりアクセスするようにしたが、回線網１は、専用線にしても良い。この場合は、各端末４には、ＩＰアドレスが割り当てられているので、ダイアルアップ接続することはない。また、この場合、プロバイダ５経由にあえてする必要もなく、ルータを介してインターネットに接続するようにしても良い。
【００４８】
以上説明したように、購入者ａは、希望する宝くじの番号を現在空き番号となっている宝くじ番号から任意に効率よく選択し、購入することができる。また、宝くじサービス業者は、番号毎に、購入したユーザを把握することができると共に、当選者のＩＤコードを把握することになり、高額当選者に対するアフターサービスができる。また、端末にインターネット通信ソフトであるブラウザを搭載（例えば、パソコン、携帯電話、ゲーム機、テレビ等にブラウザを搭載）すれば、各家庭、各職場等からインターネットを利用して宝くじを購入することができる。
【００４９】
【発明の効果】
上記に説明したように、本発明は、購入したい宝くじ番号を範囲を絞り込みながら選択できるようになっているため、空き宝くじ番号がある限り確実に購入することができるという効果がある。
【００５０】
また、端末がインターネット通信ソフトを搭載しているため、各家庭、各職場等から宝くじを購入することができるという効果がある。
【００５１】
また、宝くじ番号毎に各ユーザの識別情報を管理しているため、各顧客に対するアフターサービスができるという効果がある。
【図面の簡単な説明】
【図１】本発明の実施の形態を示すシステムのブロック図である。
【図２】図１の宝くじ管理テーブルの構成を示した構成図である。
【図３】図１のＷＷＷサーバの制御部が動作を行うフローチャートである。
【図４】図１のＷＷＷサーバの宝くじ購入制御部が動作を行うフローチャート（１／２）である。
【図５】図１のＷＷＷサーバの宝くじ購入制御部が動作を行うフローチャート（２／２）である。
【符号の説明】
１    回線網
２    インターネット
３    ＷＷＷサーバ
４    端末
５    プロバイダ
３１    制御部
３２    記憶部
３３    顧客情報データベース
３４    宝くじ画面情報データベース
３５    宝くじ購入情報データベース
３６    インタフェース部
３１１    宝くじ購入制御部
３２１    宝くじ管理テーブル
【図１】
0003636961.tif 000002
【図２】
0003636961.tif 000003
【図３】
0003636961.tif 000004
【図４】
0003636961.tif 000005
【図５】
0003636961.tif 000006